(57)【要約】  本発明は、チャンバー壁で区画された少なくとも１つの空間と、該空間に連通される少なくとも１つの血液用導入口及び少なくとも１つの別流体用導入口とを備えた血液処理システム用チャンバーに関するものであり、前記少なくとも１つの血液用導入口及び前記少なくとも１つの別流体用導入口は、前記チャンバーの前記空間内に突出する複数の管部に形成されており、前記チャンバーの使用状態において、前記チャンバーの前記空間が、血液、又は、血液と前記別流体若しくは他の流体との混合物によって、少なくとも部分的に満たされており、前記複数の管部の少なくとも１つは、前記血液用導入口及び／又は前記別流体用導入口が前記チャンバー内において前記血液又は流体の液面レベルよりも下側に位置するような長さを有する。【選択図】なし【特許請求の範囲】
【請求項１】
チャンバー壁で区画された少なくとも１つの空間と、該空間に連通される少なくとも１つの血液用導入口（１０，１１）及び少なくとも１つの別流体用導入口（２０，２１）とを備えた血液処理システム用チャンバーであって、
前記チャンバーの前記空間内に突出する複数の管部（３０，４０）が設けられ、
前記少なくとも１つの血液用導入口（１０，１１）及び前記少なくとも１つの別流体用導入口（２０，２１）は、前記管部（３０，４０）に形成されており、
前記チャンバーの使用状態において、前記チャンバーの前記空間が、血液、又は、血液と前記別流体若しくは他の流体との混合物によって、少なくとも部分的に満たされており、
前記複数の管部（３０，４０）の少なくとも１つは、前記血液用導入口（１０，１１）及び／又は前記別流体用導入口（２０，２１）が前記チャンバー内において前記血液又は流体の液面レベル（５０）よりも下側に位置するような長さを有することを特徴とする血液処理システム用チャンバー。
【請求項２】
請求項１に記載の血液処理システム用チャンバーにおいて、
前記チャンバーの使用状態において、前記複数の管部（３０，４０）の少なくとも１つが、鉛直方向に、又は、鉛直方向に対して鋭角に延びるように配設されていることを特徴とする血液処理システム用チャンバー。
【請求項３】
請求項１又は２に記載の血液処理システム用チャンバーにおいて、
前記複数の管部（３０，４０）は、互いに平行に又は実質的に平行に延びていることを特徴とする血液処理システム用チャンバー。
【請求項４】
請求項１〜３のいずれか１つに記載の血液処理システム用チャンバーにおいて、
前記チャンバーの使用状態において、前記チャンバーの前記空間が、血液、又は、血液と前記別流体若しくは他の流体との混合物によって部分的に満たされており、
前記血液又は流体の液面レベル（５０）よりも上側に、エアクッションが配置されていることを特徴とする血液処理システム用チャンバー。
【請求項５】
請求項１〜４のいずれか１つに記載の血液処理システム用チャンバーにおいて、
前記複数の管部（３０，４０）は、互いに異なる長さ又は同じ長さを有することを特徴とする血液処理システム用チャンバー。
【請求項６】
請求項１〜５のいずれか１つに記載の血液処理システム用チャンバーにおいて、
前記複数の管部（３０，４０）の少なくとも１つは、１つ以上の前記血液用導入口（１０，１１）又は１つ以上の前記別流体用導入口（２０，２１）を含むことを特徴とする血液処理システム用チャンバー。
【請求項７】
請求項１〜６のいずれか１つに記載の血液処理システム用チャンバーにおいて、
前記血液用導入口（１０，１１）及び／又は前記別流体用の導入口（２０，２１）が、前記チャンバー内に突出する前記管部（３０，４０）の先端部に配置されていることを特徴とする血液処理システム用チャンバー。
【請求項８】
請求項１〜７のいずれか１つに記載の血液処理システム用チャンバーにおいて、
前記複数の管部（３０，４０）の少なくとも１つは、前記チャンバーの前記空間内に突出する外殻表面（３１，４１）及び先端部表面（３２，４２）を含み、
前記少なくとも１つの血液用導入口（１０，１１）及び／又は前記少なくとも１つの別流体用導入口（２０，２１）は、該導入口の少なくとも一部分が前記外殻表面（３１，４１）に位置するように配置されていることを特徴とする血液処理システム用チャンバー。
【請求項９】
請求項１〜８のいずれか１つに記載の血液処理システム用チャンバーにおいて、
前記血液及び／又は前記別流体が、前記管部（３０，４０）の長手軸（Ｌ）に対して角度をもって前記管部（３０，４０）から流出するように、前記血液用導入口（１０，１１）及び／又は前記別流体用導入口（２０，２１）が前記管部（３０，４０）に形成されていることを特徴とする血液処理システム用チャンバー。
【請求項１０】
請求項９に記載の血液処理システム用チャンバーにおいて、
前記角度は、３０°〜１５０°の範囲内にあることを特徴とする血液処理システム用チャンバー。
【請求項１１】
請求項１〜１０のいずれか１つに記載の血液処理システム用チャンバーにおいて、
前記複数の管部（３０，４０）の少なくとも１つは、複数の血液用導入口（１０，１１）又は複数の別流体用導入口（２０，２１）を含むことを特徴とする血液処理システム用チャンバー。
【請求項１２】
請求項１１に記載の血液処理システム用チャンバーにおいて、
前記複数の導入口（１０，１１；２０，２１）が、対応する管部（３０，４０）において互いに対向する側部に配置されること、
前記複数の導入口（１０，１１；２０，２１）が、対応する管部（３０，４０）において同じ高さ位置に配置されること、及び、
前記複数の導入口（１０，１１；２０，２１）が、同じサイズ又は異なるサイズを有することの少なくとも１つを満たすことを特徴とする血液処理システム用チャンバー。
【請求項１３】
請求項１〜１２のいずれか１つに記載の血液処理システム用チャンバーにおいて、
前記複数の管部（３０，４０）の少なくとも１つは、前記チャンバーの前記空間内に突出する先端部に、壁（３２，４２）を有しており、
前記少なくとも１つの導入口（１０，１１；２０，２１）が、前記壁（３２，４２）に隣接して配置されていることを特徴とする血液処理システム用チャンバー。
【請求項１４】
請求項１〜１３のいずれか１つに記載の血液処理システム用チャンバーにおいて、
前記複数の管部（３０，４０）は、血液用及び別流体用導入口（１０，１１；２０，２１）が互いに離れて存在するように、互いに離れた位置に配置されていることを特徴とする血液処理システム用チャンバー。
【請求項１５】
請求項１〜１４のいずれか１つに記載の血液処理システム用チャンバーにおいて、
前記チャンバーは、ベース本体と、該ベース本体を閉じるための蓋部又はヘッド部（６０）とを含み、
前記複数の管部（３０，４０）は、前記蓋部又はヘッド部（６０）に配置されていることを特徴とする血液処理システム用チャンバー。
【請求項１６】
請求項１〜１５のいずれか１つに記載のチャンバーを、血液処理システムにおいて使用することを特徴とするチャンバーの使用方法。
【請求項１７】
請求項１６に記載のチャンバーの使用方法において、
前記チャンバーの使用状態において、前記チャンバーの前記空間を、血液、又は、血液と前記別流体若しくは他の流体との混合物によって、少なくとも部分的に満たし、
前記複数の管部（３０，４０）の少なくとも１つを、前記血液用導入口（１０，１１）及び／又は前記別流体用導入口（２０，２１）が前記チャンバー内において前記血液又は流体の液面レベル（５０）よりも下側に位置するような長さにすることを特徴とするチャンバーの使用方法。
【請求項１８】
請求項１６又は１７に記載のチャンバーの使用方法において、
前記チャンバーの使用状態において、前記チャンバーの前記空間を、血液、又は、血液と前記別流体若しくは他の流体との混合物によって部分的に満たし、
前記血液又は流体よりも上側に、エアクッションを配置することを特徴とするチャンバーの使用方法。
【請求項１９】
請求項１６〜１８のいずれか１つに記載のチャンバーの使用方法において、
前記チャンバーの使用状態において、前記複数の管部（３０，４０）の少なくとも１つが、鉛直方向に、又は、鉛直方向に対して鋭角に延びていることを特徴とするチャンバーの使用方法。
【請求項２０】
請求項１６〜１９のいずれか１つに記載のチャンバーの使用方法において、
前記血液及び／又は前記別流体が、前記管部（３０，４０）の長手軸（Ｌ）に対して角度をもって前記管部（３０，４０）から流出するように、前記血液用及び／又は前記別流体用の１つ以上の導入口（１０，１１；２０，２１）が前記管部（３０，４０）に形成されていることを特徴とするチャンバーの使用方法。
【請求項２１】
請求項２０に記載のチャンバーの使用方法において、
前記角度は、３０°〜１５０°の範囲内にあることを特徴とするチャンバーの使用方法。
【請求項２２】
請求項１６〜２１のいずれか１つに記載のチャンバーの使用方法において、
前記複数の管部（３０，４０）の少なくとも１つは、複数の導入口（１０，１１；２０，２１）を含み、
前記複数の導入口（１０，１１；２０，２１）は、前記血液及び／又は前記別流体が、対応する管部（３０，４０）から少なくとも２つの異なる方向へ流出するように該管部（３０，４０）に配置されていることを特徴とするチャンバーの使用方法。
【請求項２３】
請求項１６〜２２のいずれか１つに記載のチャンバーの使用方法において、
前記別流体は、輸液であることを特徴とするチャンバーの使用方法。
【請求項２４】
請求項１〜１５のいずれか１つに記載のチャンバーを少なくとも１つ備えることを特徴とする血液チューブシステム。
【請求項２５】
請求項２４に記載の血液チューブシステムにおいて、
前記血液チューブシステムは、前希釈用ポート及び／又は後希釈用ポートを備え、
前記前希釈用及び後希釈用ポートの一方又は両方が、前記別流体用の管部（４０）と流体接続されているか、又は、流体接続可能な状態にあることを特徴とする血液チューブシステム。
【請求項２６】
請求項１〜１５のいずれか１つに記載のチャンバーを少なくとも１つ備えるか、又は、請求項２４又は請求項２５に記載の血液チューブシステムを少なくとも１つ備えることを特徴とする血液処理システム。
【請求項２７】
請求項２６に記載の血液処理システムにおいて、
前記血液処理システムは、透析装置であることを特徴とする血液処理システム。
【請求項２８】
請求項２７に記載の血液処理システムにおいて、
前記透析装置は、該透析装置によって前記別流体が供給されるように構成されていることを特徴とする血液処理システム。
【発明の詳細な説明】
【技術分野】
【０００１】
本発明は、血液処理システム用チャンバーに関するものであり、該チャンバーは、チャンバー壁で区画される少なくとも１つの空間と、該空間に連通される少なくとも１つの血液用導入口及び少なくとも１つの別流体用導入口とを備えるものである。
【背景技術】
【０００２】
先行技術によれば、体外血液回路の一部である、透析装置のダイアライザの下流に静脈側ドリップチャンバーを備え付けることが知られている。この静脈側ドリップチャンバーの機能は、前記ダイアライザ内で浄化された患者の血液を患者へ返血する際の気泡除去を確実に行うことである。
【０００３】
先行技術によれば、例えば、浄化された透析液、又は、塩溶液などの輸液を、上記のようなドリップチャンバー内に導入することが、さらに知られている。このような供給は、前記ダイアライザの前の所謂前希釈、及び／又は、前記ダイアライザの後の所謂後希釈と連携して達成され得る。
【０００４】
図４は、前記先行技術の実施形態を、前記のような静脈側ドリップチャンバーの蓋部又はヘッド部の形態で示し、該蓋部又はヘッド部の上面には、供給ポート１００が、ダイアライザ内で浄化された血液用として配置されている。符号２００は、前記輸液用の供給ポートを示す。
【０００５】
図４からさらに理解され得るが、図４に矢印で示されるように、血液は管部３０を通じてチャンバー内に導入されるが、この場合、血液は、該管部３０に設けられた導入口１０を通じてチャンバー内に導入されることが知られている。
【０００６】
前記輸液は、前記供給ポート２００を通じて導入されるが、この場合、該輸液用の導入口は、前記チャンバー内の流体又は血液の液面レベル（符号５０により示される）よりも上側に位置している。図４に矢印で示されるように、前記輸液は、前記血液又は血液と輸液との混合物の液面上に、滴下されるか又は流れ落ちる。
【発明の概要】
【発明が解決しようとする課題】
【０００７】
前記のようなドリップチャンバーの構成が有する欠点は、前記チャンバー内に存在する流体又は血液の液面上に、前記輸液が衝突することにより微小気泡が発生し、これにより、警報が作動するような状況が引き起こされ、場合によっては透析処理が停止し得るということである。
【０００８】
従って、本発明の目的は、前記ドリップチャンバー内における微小気泡の形成を大方ないし完全に抑制するような上述のチャンバーを開発することである。
【課題を解決するための手段】
【０００９】
前記目的は、請求項１に記載の特徴を備えるチャンバーによって解決される。
【００１０】
従って、少なくとも１つの血液用導入口、及び、少なくとも１つの、例えば輸液のような別流体用導入口が、チャンバーの空間内に突出する管部に形成される。すなわち、図４に示される先行技術のチャンバーの構成に対し、輸液用及び／又は別流体用導入口が、血液又は血液と輸液との混合物が含まれるチャンバー空間内に突出する管部に形成される。
【００１１】
本発明によれば、さらに、前記チャンバー空間が、血液、又は、血液と別流体若しくは他の流体との混合物によって、少なくとも部分的に満たされていること、及び、複数の管部の少なくとも１つは、前記血液用導入口及び／又は前記別流体用導入口がチャンバー内の血液又は流体の液面レベルよりも下側に位置するような長さを有する。このように、少なくとも前記チャンバーの使用状態（稼働状態）においては、チャンバー内に存在する血液の液面上、又は、チャンバー内に存在する血液と輸液若しくは他の流体との混合物の液面上に、僅かな高さからでさえも滴下が起こらないようにすることが確実にできる。本発明の好ましい態様によれば、血液に加えて別流体も、チャンバー内に存在する血液又は流体の液面レベルよりも下側に導入される。従って、この態様において本発明は、血液処理システム用チャンバーに関するものであり、チャンバー空間が、血液、又は、血液と前記別流体若しくは他の流体との混合物によって、少なくとも部分的に満たされ、この場合、複数の管部の少なくとも１つは、血液用導入口及び／又は別流体用導入口がチャンバー空間内の流体の液面レベル又は血液の液面レベルよりも下側に位置するような長さを有する。
【００１２】
このように、前記別流体の、既にチャンバー内に存在している流体又は血液の液面上への滴下を防止し、この結果、微小気泡が形成される可能性を低減することが可能である。
【００１３】
「管部」という用語は、広義に解されるべきであり、血液又は別流体をチャンバー内に通すのに適切な、剛直及び柔軟な部材の両方を含む。従って、例えば、プラスチック、配管部材、ホースなどの固体部材が考えられる。
【００１４】
前記管部の直径、寸法及び形状は、所望のものに広く選択され得る。例えば、前記管部の内径部及び外径部は円形であり得る。しかしながら、これと異なる形状も本発明には含まれる。さらに、本発明は、正確に２つの管部に限定されるものではない。２つよりも多い管部が提供されることも可能であり、その結果、例えば、前記血液が１つよりも多い管部を通じてチャンバー内に導入されること、及び、前記別流体が１つよりも多い管部を通じて導入されること、の少なくとも一方がなされる。
【００１５】
前記チャンバーの使用状態において、前記複数の管部の少なくとも１つは、鉛直方向に、又は、鉛直方向に対して鋭角に延びるように配設されることが考えられる。従って、２つ以上の管部が備えられ、これらが実質的に鉛直方向に配置され、これら管部のうちの１つが、前記血液用導入口を１つ以上含むこと、及び／又は、これら管部のうちの別の１つが、前記別流体用の導入口を１つ以上含むことが考えられる。
【００１６】
前記２つの管部は、互いに平行に又は実質的に平行に延び得る。しかしながら、前記管部は、互いに角度を持って配置されることもあり得る。
【００１７】
本発明におけるさらなる態様では、前記チャンバーの使用状態において、前記チャンバー空間は、血液、又は、血液と少なくとも１つの流体若しくは他の流体との混合物によって部分的に満たされ、該血液又は流体の液面レベルよりも上側に、エアクッションが配置される。
【００１８】
さらに、前記複数の管部は、互いに異なる長さ又は同じ長さを有し得る。
【００１９】
例えば、１つ以上の血液用導入口を備える管部に対して、同じ長さ、又は、より短い、若しくは、より長い、１つ以上の別流体用導入口を備える管部を設計することが考えられる。
【００２０】
特に有益であるのは、それら両方の管部の長さが、チャンバー内における流体の液面レベルよりも下側に、血液用及び別流体用導入口が位置するような長さになっている場合である。
【００２１】
本発明におけるさらなる態様では、前記複数の管部の少なくとも１つが、１つ以上の血液用導入口又は１つ以上の別流体用導入口を含む。従って、本発明は、各々の管部が、導入口を１つだけ備えるという事実に限定されるものではなく、各管部に２つ以上の導入口が備えられる場合も含む。
【００２２】
本発明におけるさらなる態様では、前記血液用導入口及び／又は前記別流体用導入口は、チャンバー内に突出する前記管部の先端部に配置される。
【００２３】
さらに、前記複数の管部の少なくとも１つは、前記チャンバー空間内に突出する外殻表面及び先端部表面を含み、少なくとも１つの血液用導入口及び／又は少なくとも１つの別流体用導入口は、該導入口の少なくとも一部分又は全体が、前記外殻表面に位置するように配置され得る。本発明におけるこの態様により、血液又は流体を横から導入する、すなわち側面から導入することがあり得る。本態様においては、前記血液及び／又は前記別流体は、前記管部の長手軸に一致する方向ではなくて、該長手軸に対して角度をもって延びる方向に導入される。前記角度は、前記管部の長手軸に対して、３０°〜１５０°の範囲内に、好ましくは６０°〜１２０°の範囲内に、特に好ましくは８０°〜１００°の範囲内にあることが考えられる。例えば、前記角度が約９０°である場合は、血液はまず管部内を通り、その後、その方向から直角方向に、管部から導入口を通ってチャンバー内に流れる。
【００２４】
本発明におけるさらなる態様では、前記複数の管部の少なくとも１つは、複数の血液用導入口又は複数の別流体用導入口を含み得る。前記複数の導入口は、血液が管部からチャンバー内へ異なる方向に流れるように配置され得る。同様のことが、前記別流体にも適用され得る。前記管部から血液又は別流体が互いに反対側へ流れるように２つの導入口が配置され、その結果、反対方向の流れを得ることも可能である。
【００２５】
さらに、前記複数の導入口は、同じ高さ位置、すなわち鉛直方向に延びる管部の場合は該管部の同じ鉛直方向の位置に配置されることが可能であり、前記複数の導入口は、同じサイズ又は異なるサイズを有することも可能である。
【００２６】
さらに、前記複数の管部の少なくとも１つは、前記チャンバー空間内に突出する先端部に壁を有し、前記少なくとも１つの導入口が、前記壁に隣接して配置され得る。
【００２７】
各管部毎に２つの導入口を備える上述の形態の代替として、２つよりも多い導入口、例えば３つ又は４つの導入口を各管部毎に形成することも、もちろん可能である。
【００２８】
これらの導入口は、各管部の周方向に一定の間隔を開けて均一に配置され得る。不均一に配置することも、可能である。
【００２９】
前記周方向に互いに一定の間隔を開けて配置された複数の導入口を通じて、前記のように血液及び／又は別流体を導入することは、前記チャンバー内で渦の形成を効果的に抑制するという利点があり、このことによって、微小気泡の発生を大方ないし完全に抑制するという利点がもたらされる。
【００３０】
前記１つ以上の血液用導入口又は前記１つ以上の別流体用導入口は、前記血液又は前記別流体が、チャンバーの径方向、チャンバー壁に向かう方向、チャンバーの接線方向、周方向、又は、これらのうちの二方向の間の方向へ導入されるように配置され得る。
【００３１】
さらに、前記複数の管部は、血液用導入口と別流体用導入口とが互いに離れて存在するように、互いに離れた位置に配置され得る。
【００３２】
さらに、前記チャンバーは、ベース本体と、該ベース本体を閉じるための蓋部又はヘッド部とを含み、前記複数の管部は、前記蓋部又はヘッド部に配置され、好ましくは該蓋部又はヘッド部を貫通して延びていてもよい。前記蓋部又はヘッド部は、前記ベース本体に固く連結されるか、又は、前記ベース本体から取り外すことが可能である。固定タイプの設計の場合は、前記ベース本体と前記蓋部又はヘッド部とは、一体型として設計することが可能である。
【００３３】
本発明はさらに、請求項１〜１５のいずれか１つに記載のチャンバーを血液処理システムにおいて使用する使用方法に関する。好ましくは、前記チャンバーは、ダイアライザの下流に配置される静脈側チャンバーとして使用される。
【００３４】
前記チャンバーの使用状態において、前記チャンバー空間を、血液、又は、血液と別流体若しくは他の流体との混合物によって、少なくとも部分的に満たし、前記複数の管部の少なくとも１つを、血液用導入口及び／又は別流体用導入口がチャンバー内において血液又は流体の液面レベルよりも下側に位置するような長さにすることができる。既に上述の通り、本発明の特に好ましい態様は、前記血液及び前記別流体共に、前記チャンバー内に存在する血液の液面上への滴下、又は、前記チャンバー内に存在する流体の液面上への滴下を防止するという点において、実現され得る。
【００３５】
本発明のさらなる態様において、前記チャンバーの使用状態において、前記チャンバーの前記空間を、血液、又は、血液と前記別流体若しくは他の流体との混合物によって部分的に満たし、前記血液又は流体よりも上側に、エアクッションを配置するようにしてもよい。
【００３６】
さらに、前記チャンバーの使用状態において、前記複数の管部の少なくとも１つが、鉛直方向に、又は、鉛直方向に対して鋭角に延びていてもよい。
【００３７】
既に述べた通り、有利であるのは、前記血液及び／又は前記別流体が、前記管部の長手軸に対して角度をもって前記管部から流出するように、前記血液用及び／又は前記別流体用の１つ以上の導入口が前記管部に形成されている場合である。例えば、前記角度は、３０°〜１５０°の範囲内に、好ましくは６０°〜１２０°の範囲内に、特に好ましくは８０°〜１００°の範囲内にあり得る。
【００３８】
前記複数の管部の少なくとも１つは、複数の導入口を含み、前記複数の導入口は、前記血液及び／又は前記別流体が、対応する管部から少なくとも２つの異なる方向へ流出するように該管部に配置されていてもよい。このようにして、前記チャンバー内における渦形成、及び、その結果としての微小気泡の発生を、大方ないし完全に抑制し得る。
【００３９】
前記別流体は、輸液、特に透析液、又は、例えば塩化ナトリウム溶液などの塩溶液であり得る。前記別流体が、前記チャンバー空間内で血液と混合され、該混合物が患者に供給される。
【００４０】
さらに、本発明は、請求項１〜１５のいずれか１つに記載のチャンバーを少なくとも１つ備える血液チューブシステムに関する。この血液チューブシステムは、前希釈用ポート及び／又は後希釈用ポートを備え、該前希釈用及び後希釈用ポートの一方又は両方が、前記別流体用の管部と流体接続されているか、又は、流体接続可能な状態にあり得る。
【００４１】
さらに、本発明は、請求項１〜１５のいずれか１つに記載のチャンバーを少なくとも１つ備えるか、又は、請求項２４又は２５に記載の血液チューブシステムを少なくとも１つ備える血液処理システムに関する。
【００４２】
本発明の有利な態様においては、前記血液処理システムは、透析装置である。この透析装置は、血液透析、血液濾過、又は、血液透析濾過を行うよう構成され得る。
【００４３】
さらに、前記透析装置によって前記別流体が供給されるようにすることが可能である。
【００４４】
本発明のさらなる詳細及び利点については、以下の図面に示された実施形態を参照して、詳細に説明されるであろう。
【図面の簡単な説明】
【００４５】
【図１】図１は、本発明に係るチャンバーの蓋部を斜め下方から見た図である。
【図２】図２は、血液用又は別流体用導入口を有する管部の断面図である。
【図３】図３は、血液及び別流体の流れの方向を示す、図１の構成の概略上面図である。
【図４】図４は、先行技術の静脈側ドリップチャンバーの蓋部を示す側面図である。
【発明を実施するための形態】
【００４６】
図１は、斜め下方から見た図であって、透析装置の体外血液回路の静脈側チャンバーのヘッド部又は蓋部６０を示す。
【００４７】
符号１００は血液用の供給ポートを示し、符号２００は輸液用の供給ポートを示す。供給ポート１００は、前記体外血液回路に接続される。供給ポート１００を通じ、ダイアライザで浄化された血液は、本発明に係る静脈側チャンバー内に導入される。図１には、前記静脈側チャンバーの蓋部又はヘッド部６０が示されている。
【００４８】
輸液用の供給ポート２００は、例えば、透析液、塩化ナトリウム溶液などのような、適切な輸液源に接続される。前記ポート２００を通じ前記輸液が前記チャンバー内に供給される。図示された実施形態においては、前記供給は前記ダイアライザの下流でなされ、その結果、後希釈となる。
【００４９】
しかしながら、原則として、本発明は、後希釈しての使用に限定されず、前希釈の領域におけるチャンバーの使用にも提供される。
【００５０】
図１において、符号５０は、前記チャンバー内に存在する血液又は流体の液面レベルを示す。前記流体は、血液のみか、又は、血液と前記輸液若しくは他の流体との混合物のいずれかからなる。さらに、図１から理解され得るように、供給ポート１００は、好ましくは、管部３０と強固に又は一体的に接続され、供給ポート２００は、好ましくは、管部３０と平行に延びる管部４０と強固に又は一体的に接続される。図１から理解され得るように、管部３０，４０は、互いに離れた位置にある。供給ポート１００，２００は、管部３０，４０と一体のものであってよく、あるいは、管部３０，４０と適切な方法で連結されていてもよい。管部３０，４０及び／又は供給ポート１００，２００は、前記チャンバーの蓋部又はヘッド部６０と一体のものであるか、あるいは、例えば蓋部又はヘッド部６０内に挿入されるなどといった他の方法で、蓋部又はヘッド部６０と連結されることも考えられる。
【００５１】
符号Ｌは、２つの管部３０，４０の長手軸を示しており、管部３０，４０は、前記チャンバー内の空間に突出し、該チャンバー空間は、前記ヘッド部６０又は前記蓋部６０によってその上側が閉じられる。
【００５２】
さらに図１から理解され得るように、管部３０，４０の各々は、その外殻表面３１，４１に導入口１０，２１を備え、該導入口１０，２１を通じて、一方では血液が、そしてもう一方では輸液が、前記チャンバー内に既に存在している流体又は血液中に流入する。
【００５３】
さらに図１に示す通り、血液用導入口１０及び輸液用（別流体用）導入口２１が、前記チャンバー内に既に存在する流体又は血液の液面レベル５０よりも下側に位置している。さらに図１に示す通り、導入口１０，２１は、管部３０，４０の下部先端部３２，４２には配置されず、血液又は別流体が、管部３０，４０から横向きに又は少なくとも横方向に流出するように、横方向のみに又は少なくとも横方向にも向くように配置される。
【００５４】
従って、本実施形態によれば、輸液用導入口及び血液用導入口は共に、前記チャンバー内に既に存在している血液、又は、血液と輸液若しくは他の流体との混合物の液面レベル５０よりも下側に位置する。
【００５５】
さらに、本実施形態によれば、一方の血液用導入口と他方の別流体用導入口とが互いに離れて存在する。
【００５６】
さらに図１から理解され得るように、別流体用導入口を備える管部４０は、血液用導入口１０を備える管部３０よりも僅かに短く形成されている。原理的に、前記２つの管部３０，４０を同じに設計すること、各々の導入口１０，２１の高さないし位置を同じレベルにすること、又は、管部４０を管部３０よりも長く設計することも考えられる。
【００５７】
図２は、管部３０又は管部４０の断面を示す。図２から理解され得るように、管部３０，４０は、蓋部の一体部分であり、好ましくは蓋部と一体成形される。従って、本発明では、一体型の輸液用ポートが実現される。
【００５８】
図２より、血液供給用の管部３０及び別流体供給用の管部４０には、各々、先端壁３２，４２に直に隣接する２つの導入口１０，１１；２０，２１が形成されていることが分かる。図３からも理解されるように、前記２つの導入口は、互いに対向配置され、その結果、血液又は別流体が、各々の管部３０，４０の互いに対向する側部から流出して、前記チャンバー内に既に存在する流体中に流入する。このことは、例えば図３から理解され得る。ここで、符号３０は血液供給用の管部を示し、符号１０，１１は血液用導入口を示す。これらの導入口は、管部３０の側面、すなわち横方向に互いに反対向きの状態で配置され、その結果、図３に示すように、血液は、管部分３０から互いに反対に、すなわち反対方向に流出する。
【００５９】
このことは、別流体供給用の管部４０の形成にも当てはまる。ここにおいても、２つの反対向きの導入口２０，２１が備えられており、異なるサイズを有する。図３に示されるように、管部３０及び４０から流出する際、血液及び別流体の流れの方向は平行である。しかしながら、一方の血液の流出と他方の別流体の流出とが非平行となる場合もまた、本発明には含まれる。
【００６０】
原理的に、本発明はまた、各々の導入口１０，１１及び２０，２１が同じサイズであるように設計される場合も含む。導入口１０，１１及び２０，２１は、管部の同じ高さ位置に、又は異なる高さ位置に配置され得る。
【００６１】
さらに図３から理解され得るように、ここに示される実施形態においては、血液又は別流体の流入方向が、円筒形若しくは断面円形である容器、又はチャンバーの蓋部の外殻表面に対して径方向でもなければ接線方向でもないように、前記導入口が配置されている。ここでは、血液又は別流体の流入方向は、径方向と接線方向との間にある方向である。本発明の本態様によって、血液及び輸液のより良い混合が達成され、液面レベルがチャンバーの中心部で低下しかつチャンバーの側壁部側で上昇してしまうような乱流効果は生じない。本実施形態では、流体の液面レベル５０又はチャンバー内の流体の液面は、概して平坦を維持しており、その結果渦形成が大方ないし完全に抑制され、さらにその結果として微小気泡又は泡の発生が抑制される。
【００６２】
図１〜図３に示された静脈側ドリップチャンバーは、血液用及び別流体用導入口を離れた位置に備え、血液用及び別流体用導入口は、管部に前記のように特別に設計されているので、血液及び／又は別流体の、チャンバー内に存在する流体又は血液の液面上への滴下が起こらないという利点だけではなく、渦形成、その結果としての泡形成又は微小気泡の形成が大方ないし完全に抑制されるという、さらなる利点も有している。１つ以上の管部３０，４０は、射出成形法により製造され得る。この方法において、追加の導入口１１，２１を備えることは、該方法を行うことが容易かつ安定しているという点で、一定の利点を有する。したがって、蓋部若しくはヘッド部６０全体、又は、少なくとも管部３０，４０を、射出成形法によって製造することが好ましい。
【００６３】
特に本発明に係るチャンバーは、血液透析濾過の後希釈、及び、オンラインＨＤＦ（血液透析濾過）の後希釈に適用するのに好都合である。
【００６４】
従って、供給ポート２００は、好ましくは、ダイアライザ内で血液を浄化した後に該血液に供給される輸液用のポートである。
【図１】
2014506157.tif 000002
【図２】
2014506157.tif 000003
【図３】
2014506157.tif 000004
【図４】
2014506157.tif 000005
【国際調査報告】
2014506157.tif 000006
2014506157.tif 000007
2014506157.tif 000008
2014506157.tif 000009
2014506157.tif 000010
2014506157.tif 000011
2014506157.tif 000012
2014506157.tif 000013
2014506157.tif 000014
2014506157.tif 000015